(57)【要約】【課題】被着体に対する保持位置を容易に変更可能であり、且つ、被着体から容易に取り外すことが可能なラベルを作成するためのラベル媒体、及び、ラベル媒体が収容されたカセットを提供する。【解決手段】第１ラベル媒体６０Ａのラベル５１は、情報が印刷される第１表示部５２１及び第２表示部５２２と、被着体に巻き付けられる第１巻付部５３１及び第２巻付部５３２と、第１貫通部５４１及び第２貫通部５４２とを有する。第１表示部５２１及び第２表示部５２２は、この順で台紙５１１の長尺方向と平行の第１方向に並び、長尺方向と直交する第１ライン５５１を介して互いに連結される。第２表示部５２２、第２巻付部５３２、第２貫通部５４２は第１方向に並んで連結される。第１巻付部５３１及び第１貫通部５４１は第１方向に並ぶ。第１巻付部５３１及び第２巻付部５３２と、第１貫通部５４１及び第２貫通部５４２とは、第２ライン５５２を介して連結される。【選択図】図５
2019012215.tif 000002
【特許請求の範囲】
【請求項１】
台紙と、前記台紙に貼付されたラベルとを含むラベル媒体であって、
前記ラベルは、
情報が印刷される領域を有する第１表示部及び第２表示部と、
被着体に巻き付けられる第１巻付部及び第２巻付部と、
前記第１表示部及び前記第２表示部が貫通する第１孔及び／又は第１切れ目の少なくとも一部を有する第１貫通部、及び、前記第１表示部及び前記第２表示部が貫通する第２孔及び／又は第２切れ目の少なくとも一部を有する第２貫通部と、
を有し、
前記第１表示部及び前記第２表示部は、この順で前記台紙の面と平行の第１方向に並び、且つ、前記第１方向と直交する第３方向に延びる第１ラインを介して互いに連結され、
前記第２表示部、前記第２巻付部、及び前記第２貫通部は、この順で前記第１方向に並んで連結され、
前記第１巻付部及び前記第１貫通部は、この順で前記第１方向あるいは前記第１方向の反対方向である第２方向に並び、
前記第１巻付部及び前記第２巻付部と、前記第１貫通部及び前記第２貫通部との少なくとも一方は、第２ラインを介して連結され、
前記第１表示部の少なくとも一部と前記第２表示部の少なくとも一部は、前記第１ラインに沿って延びる第１仮想ラインを基準として対称となる位置に配置され、
前記第１巻付部の少なくとも一部と前記第２巻付部の少なくとも一部は、前記第２ラインに沿って延びる第２仮想ラインを基準として対称となる位置に配置され、
前記第１貫通部の少なくとも一部と前記第２貫通部の少なくとも一部は、前記第２仮想ラインを基準として対称となる位置に配置され、
前記第１孔及び／又は前記第１切れ目の少なくとも一部と、前記第２孔及び／又は前記第２切れ目の少なくとも一部は、前記第２仮想ラインを基準として対称となる位置に配置されることを特徴とするラベル媒体。
【請求項２】
前記第２ラインは、前記第３方向と平行であることを特徴とする請求項１に記載のラベル媒体。
【請求項３】
前記第１表示部の少なくとも一部、前記第２表示部の少なくとも一部、前記第１巻付部の少なくとも一部、前記第２巻付部の少なくとも一部、前記第１貫通部の少なくとも一部、及び前記第２貫通部の少なくとも一部は、前記第１方向に重なることを特徴とする請求項２に記載のラベル媒体。
【請求項４】
前記第２ラインは、前記第１方向と平行であることを特徴とする請求項１に記載のラベル媒体。
【請求項５】
前記第１表示部の少なくとも一部、及び前記第１巻付部の少なくとも一部は、前記第１方向に重なり、
前記前記第２表示部の少なくとも一部、及び前記第２巻付部の少なくとも一部は、前記第１方向に重なることを特徴とする請求項４に記載のラベル媒体。
【請求項６】
前記第１巻付部に、前記第１ライン及び前記第２ラインで折り曲げられた場合に前記第１表示部及び前記第２表示部のそれぞれの少なくとも一部と重なる重複部が設けられたことを特徴とする請求項１から３の何れかに記載のラベル媒体。
【請求項７】
前記第１表示部に、前記第１ライン及び前記第２ラインで折り曲げられた場合に前記第１巻付部及び前記第２巻付部のそれぞれの少なくとも一部と重なる重複部が設けられたことを特徴とする請求項１、４、５の何れかに記載のラベル媒体。
【請求項８】
前記第１表示部の前記第３方向の長さは、前記第１孔及び／又は前記第１切れ目の前記第１方向の長さ以下であり、
前記第２表示部の前記第３方向の長さは、前記第２孔及び／又は前記第２切れ目の前記第１方向の長さ以下である
ことを特徴とする請求項１から７の何れかに記載のラベル媒体。
【請求項９】
前記第１孔及び／又は前記第１切れ目の前記第１方向の長さは、前記第１表示部の前記第３方向の長さと等しく、
前記第２孔及び／又は前記第２切れ目の前記第１方向の長さは、前記第２表示部の前記第３方向の長さと等しい
ことを特徴とする請求項８に記載のラベル媒体。
【請求項１０】
前記第１巻付部の前記第３方向の長さは、前記第１孔及び／又は前記第１切れ目の前記第３方向の長さ以下であり、
前記第２巻付部の前記第３方向の長さは、前記第２孔及び／又は前記第２切れ目の前記第３方向の長さ以下である
ことを特徴とする請求項１から９の何れかに記載のラベル媒体。
【請求項１１】
前記第１孔及び／又は前記第１切れ目の前記第３方向の長さは、前記第１巻付部の前記第３方向の長さと等しく、
前記第２孔及び／又は前記第２切れ目の前記第３方向の長さは、前記第２巻付部の前記第３方向の長さと等しい
ことを特徴とする請求項１０に記載のラベル媒体。
【請求項１２】
前記第１巻付部は、前記第１表示部及び前記第１貫通部よりも、前記第３方向の長さが小さく、
前記第２巻付部は、前記第２表示部及び前記第２貫通部よりも、前記第３方向の長さが小さいことを特徴とする請求項１から１１の何れかに記載のラベル媒体。
【請求項１３】
前記台紙と前記ラベルとの間に粘着剤を有することを特徴とする請求項１から１２の何れかに記載のラベル媒体。
【請求項１４】
前記台紙は長尺状であり、
前記台紙の長尺方向に並んで貼付された複数の前記ラベルを有し、
前記長尺方向と前記第１方向とが平行であることを特徴とする請求項１から１３の何れかに記載のラベル媒体。
【請求項１５】
前記第１ライン及び前記第２ラインがミシン目であることを特徴とする請求項１から１４の何れかに記載のラベル媒体。
【請求項１６】
前記第１表示部と前記第２表示部は同一形状かつ同一サイズであり、前記第１巻付部と前記第２巻付部は同一形状かつ同一サイズであり、前記第１貫通部と前記第２貫通部は同一形状かつ同一サイズであることを特徴とする請求項１から１５の何れかに記載のラベル媒体。
【請求項１７】
前記第１巻付部と前記第１孔及び／又は前記第１切れ目の少なくとも一部は前記第１方向に重なり、前記第２巻付部と前記第２孔及び／又は前記第２切れ目の少なくとも一部は前記第１方向に重なることを特徴とする請求項１から１６の何れかに記載のラベル媒体。
【請求項１８】
請求項１から１７の何れかに記載の前記ラベル媒体がスプールに巻回されたロールを含むカセットであって、
前記ラベル媒体のうち前記スプールに接続する側から反対側に向けて、前記ラベルの前記第１表示部、前記第２表示部、前記第２巻付部、及び前記第２貫通部がこの順で配置されたことを特徴とするカセット。
【発明の詳細な説明】
【技術分野】
【０００１】
本発明は、ケーブル等の被着体に巻回されることによって保持されるラベルを作成するためのラベル媒体及びカセットに関する。
【背景技術】
【０００２】
特許文献１は、粘着剤層を有する被印字テープに印刷されたラベルを開示する。ラベルは、ラベル本体部及び巻き付け部を有する。ラベル本体部には印字データが印刷される。ラベル本体部は、ミシン目で山折りに折り曲げられることによって、裏面どうしが粘着剤層によって貼り合わされる。巻き付け部は折り返され、ケーブル状の被着体に巻き付けられる。これによって、巻き付け部の裏面は粘着剤層によって被着体に接着し、同時に、巻き付け部の裏面どうしが粘着剤層によって貼り合わされる。
【先行技術文献】
【特許文献】
【０００３】
【特許文献１】特開２０１７−６４９２５号公報
【発明の概要】
【発明が解決しようとする課題】
【０００４】
上記のラベルは、粘着剤層によって被着体に接着される為、被着体に対するラベルの保持位置を変更したり、被着体に対してラベルを取り外したりすることが難しいという問題点がある。
【０００５】
本発明の目的は、被着体に対する保持位置を容易に変更可能であり、且つ、被着体から容易に取り外すことが可能なラベルを作成するためのラベル媒体、及び、ラベル媒体が収容されたカセットを提供することである。
【課題を解決するための手段】
【０００６】
本発明の第１態様に係るラベル媒体は、台紙と、前記台紙に貼付されたラベルとを含むラベル媒体であって、前記ラベルは、情報が印刷される領域を有する第１表示部及び第２表示部と、被着体に巻き付けられる第１巻付部及び第２巻付部と、前記第１表示部及び前記第２表示部が貫通する第１孔及び／又は第１切れ目の少なくとも一部を有する第１貫通部、及び、前記第１表示部及び前記第２表示部が貫通する第２孔及び／又は第２切れ目の少なくとも一部を有する第２貫通部と、を有し、前記第１表示部及び前記第２表示部は、この順で前記台紙の面と平行の第１方向に並び、且つ、前記第１方向と直交する第３方向に延びる第１ラインを介して互いに連結され、前記第２表示部、前記第２巻付部、及び前記第２貫通部は、この順で前記第１方向に並んで連結され、前記第１巻付部及び前記第１貫通部は、この順で前記第１方向あるいは前記第１方向の反対方向である第２方向に並び、前記第１巻付部及び前記第２巻付部と、前記第１貫通部及び前記第２貫通部との少なくとも一方は、第２ラインを介して連結され、前記第１表示部の少なくとも一部と前記第２表示部の少なくとも一部は、前記第１ラインに沿って延びる第１仮想ラインを基準として対称となる位置に配置され、前記第１巻付部の少なくとも一部と前記第２巻付部の少なくとも一部は、前記第２ラインに沿って延びる第２仮想ラインを基準として対称となる位置に配置され、前記第１貫通部の少なくとも一部と前記第２貫通部の少なくとも一部は、前記第２仮想ラインを基準として対称となる位置に配置され、前記第１孔及び／又は前記第１切れ目の少なくとも一部と、前記第２孔及び／又は前記第２切れ目の少なくとも一部は、前記第２仮想ラインを基準として対称となる位置に配置されることを特徴とする。
【０００７】
ラベル媒体において、台紙からラベルを剥がし、第１ライン及び第２ラインに沿ってラベルを折り曲げることによって、第１表示部の少なくとも一部及び第２表示部の少なくとも一部と、第１巻付部の少なくとも一部及び第２巻付部の少なくとも一部と、第１貫通部の少なくとも一部及び第２貫通部の少なくとも一部とを互いに重ね合わせることができる。この状態で、第１貫通部及び第２貫通部の孔又はスリットに、第１表示部、第２表示部を貫通させることによって、ケーブル等の被着体にラベルを巻き付けて保持できる。この場合、被着体にラベルは接着されないので、被着体に対してラベルを移動させたり、被着体からラベルを取り外したりすることが容易に可能となる。
【０００８】
ラベルは、第１表示部と第２表示部との連結部分に第１ラインを有し、第１巻付部と第２巻付部との連結部分、及び、第１貫通部と第２貫通部との連結部分の少なくとも一方に第２ラインを有する。このため、それぞれでラベルを折り曲げることによって、第１表示部及び第２表示部と、第１巻付部及び第２巻付部と、第１貫通部及び第２貫通部とがそれぞれ重なりあう時にずれることを抑制できる。
【０００９】
第１態様において、前記第２ラインは、前記第３方向と平行であってもよい。この場合、第１貫通部の少なくとも一部及び第２貫通部の少なくとも一部を、第１方向に並べて配置できる。このため、ラベルの第３方向の長さ（幅）を抑制できるので、ラベル媒体の幅を抑制できる。
【００１０】
第１態様において、前記第１表示部の少なくとも一部、前記第２表示部の少なくとも一部、前記第１巻付部の少なくとも一部、前記第２巻付部の少なくとも一部、前記第１貫通部の少なくとも一部、及び前記第２貫通部の少なくとも一部は、前記第１方向に重なってもよい。この場合、ラベルの第３方向の長さ（幅）を抑制できるので、ラベル媒体の幅を抑制できる。
【００１１】
第１態様において、前記第２ラインは、前記第１方向と平行であってもよい。この場合、ラベル媒体は、第２ラインでラベルが折り曲げられた場合において、第１巻付部の少なくとも一部及び第２巻付部の少なくとも一部と、第１貫通部の少なくとも一部及び第２貫通部の少なくとも一部とがそれぞれ重なりあう時にずれることを抑制できる。
【００１２】
第１態様において、前記第１表示部の少なくとも一部、及び前記第１巻付部の少なくとも一部は、前記第１方向に重なり、前記前記第２表示部の少なくとも一部、及び前記第２巻付部の少なくとも一部は、前記第１方向に重なってもよい。この場合、ラベルの第３方向の長さ（幅）を抑制できるので、ラベル媒体の幅を抑制できる。
【００１３】
第１態様において、前記第１巻付部に、前記第１ライン及び前記第２ラインで折り曲げられた場合に前記第１表示部及び前記第２表示部のそれぞれの少なくとも一部と重なる重複部が設けられてもよい。この場合、ラベルのうち第１表示部と第１巻付部との連結部分の強度を大きくできる。
【００１４】
第１態様において、前記第１表示部に、前記第１ライン及び前記第２ラインで折り曲げられた場合に前記第１巻付部及び前記第２巻付部のそれぞれの少なくとも一部と重なる重複部が設けられてもよい。この場合、ラベルのうち第１表示部と第１巻付部との連結部分の強度を大きくできる。
【００１５】
第１態様において、前記第１表示部の前記第３方向の長さは、前記第１孔及び／又は前記第１切れ目の前記第１方向の長さ以下であり、前記第２表示部の前記第３方向の長さは、前記第２孔及び／又は前記第２切れ目の前記第１方向の長さ以下であってもよい。この場合、使用者は、第１貫通部に第１表示部を容易に貫通させることができ、且つ、第２貫通部に第２表示部を容易に貫通させることができる。
【００１６】
第１態様において、前記第１孔及び／又は前記第１切れ目の前記第１方向の長さは、前記第１表示部の前記第３方向の長さと等しく、前記第２孔及び／又は前記第２切れ目の前記第１方向の長さは、前記第２表示部の前記第３方向の長さと等しくてもよい。この場合、孔又は切れ目の大きさを抑制できるので、第１貫通部及び第２貫通部の強度を維持できる。
【００１７】
第１態様において、前記第１巻付部の前記第３方向の長さは、前記第１孔及び／又は前記第１切れ目の前記第３方向の長さ以下であり、前記第２巻付部の前記第３方向の長さは、前記第２孔及び／又は前記第２切れ目の前記第３方向の長さ以下であってもよい。使用者は、第１貫通部に第１巻付部が貫通した状態で、第１巻付部が折れ曲がることを抑制できる。又、使用者は、第２貫通部に第２巻付部が貫通した状態で、第２巻付部が折れ曲がることを抑制できる。
【００１８】
第１態様において、前記第１孔及び／又は前記第１切れ目の前記第３方向の長さは、前記第１巻付部の前記第３方向の長さと等しく、前記第２孔及び／又は前記第２切れ目の前記第３方向の長さは、前記第２巻付部の前記第３方向の長さと等しくてもよい。この場合、孔又は切れ目の大きさを抑制できるので、第１貫通部及び第２貫通部の強度を維持できる。
【００１９】
第１態様において、前記第１巻付部は、前記第１表示部及び前記第１貫通部よりも、前記第３方向の長さが小さく、前記第２巻付部は、前記第２表示部及び前記第２貫通部よりも、前記第３方向の長さが小さくてもよい。この場合、第１表示部及び第２表示部の第３方向の長さを相対的に大きくできるので、印刷可能な領域の面積を大きくできる。又、第１巻付部及び第２巻付部に対する第１貫通部及び第２貫通部の第３方向の長さを相対的に大きくできるので、孔又はスリットの少なくとも一方が形成された場合でも、第１貫通部及び第２貫通部の強度を維持できる。
【００２０】
第１態様において、前記台紙と前記ラベルとの間に粘着剤を有してもよい。この場合、使用者は、ラインにおいてラベルを折り曲げることによって、第１表示部及び第２表示部、第１巻付部及び第２巻付部、並びに、第１貫通部及び第２貫通部を貼り合わせることができる。
【００２１】
第１態様において、前記台紙は長尺状であり、前記台紙の長尺方向に並んで貼付された複数の前記ラベルを有し、前記長尺方向と前記第１方向とが平行であってもよい。この場合、複数のラベルを台紙に効率的に並べて配置させることができる。
【００２２】
第１態様において、前記第１ライン及び前記第２ラインがミシン目であってもよい。この場合、使用者は、ラベルをラインで容易に折り曲げることができる。
【００２３】
第１態様において、前記第１表示部と前記第２表示部は同一形状かつ同一サイズであり、前記第１巻付部と前記第２巻付部は同一形状かつ同一サイズであり、前記第１貫通部と前記第２貫通部は同一形状かつ同一サイズであってもよい。この場合、ラインに沿ってラベルを折り曲げたときに、第１表示部と第２表示部、第１巻付部と第２巻付部、及び、第１貫通部と第２貫通部をずれなく重ね合わせることができる。
【００２４】
第１態様において、前記第１巻付部と前記第１孔及び／又は前記第１切れ目の少なくとも一部は前記第１方向に重なり、前記第２巻付部と前記第２孔及び／又は前記第２切れ目の少なくとも一部は前記第１方向に重なってもよい。この場合、ラインに沿ってラベルを折り曲げたときに、第１孔又は第１切れ目と、第２孔又は第２切れ目をずれなく重ね合わせることができる。
【００２５】
本発明の第２態様に係るカセットは、第１態様に係る前記ラベル媒体がスプールに巻回されたロールを含むカセットであって、前記ラベル媒体のうち前記スプールに接続する側から反対側に向けて、前記ラベルの前記第１表示部、前記第２表示部、前記第２巻付部、及び前記第２貫通部がこの順で配置されたことを特徴とする。
【００２６】
第２態様において、カセットが印刷装置に装着されて使用された場合、ラベルの貫通部及び巻付部がヘッドの近傍を通過した後、ラベルの表示部がヘッドの近傍を通過する。なお、印刷装置は、ヘッドの近傍を表示部が通過するときに、表示部にキャラクタを印刷する。この場合、印刷装置において、ラベル媒体の搬送直後に印刷を実行できない場合でも、表示部に対する印刷を適切に実行できる。
【図面の簡単な説明】
【００２７】
【図１】印字装置１の右後下方からの斜視図である。
【図２】カバー５を開けた状態の印字装置１の斜視図である。
【図３】保護部３６の一部を切り欠いた平面図である。
【図４】テープカセット６の上ケース６７１を取り外した場合の平面図である。
【図５】第１ラベル媒体６０Ａを示す図である。
【図６】被着体に対するラベル５１の取り付け方法を示す図である。
【図７】第２ラベル媒体６０Ｂを示す図である。
【図８】被着体に対するラベル８１の取り付け方法を示す図である。
【発明を実施するための形態】
【００２８】
以下、本発明の一実施形態について図面を参照して説明する。参照する図面は、本発明が採用しうる技術的特徴を説明するために用いられるものである。図面に記載されている装置の構成は、それのみに限定する趣旨ではなく、単なる説明例である。
【００２９】
＜印字装置１の概略構成＞
本実施形態に係る印字装置１の概略構成について、図１から図３を参照して説明する。以下の説明では、図１の上方、下方、右下方、左上方、右上方、左下方を、それぞれ、印字装置１の前方、後方、右方、左方、上方、および下方と定義する。
【００３０】
図１に示すように、印字装置１の形状は、略直方体状である。印字装置１は、本体筐体２とカバー５とを有する。本体筐体２およびカバー５は樹脂製である。本体筐体２の上面の下側部分には、キーボード１１が設けられる。キーボード１１は種々の文字入力等を行う。キーボード１１の上方には、機能キー群１２が設けられる。機能キー群１２は、電源の入切、印字キーや印字装置１の各種制御を行う。機能キー群１２の上方には、液晶ディスプレイ１３が設けられる。液晶ディスプレイ１３は、入力した文字や記号等を表示する。カバー５は、本体筐体２の後側に開閉自在に取り付けられる。
【００３１】
図２、図３に示すように、本体筐体２の右下側角部には、３本の電池を着脱可能な電池装着部２１が設けられる。電池装着部２１の上側に隣接して、カセット装着部２２が設けられる。カセット装着部２２は、テープカセット６を後方から着脱可能である。カセット装着部２２の下端部から後方に向けてフック２５１が突出し、カセット装着部２２の上端部から後方に向けてフック２５２が突出する。フック２５１、２５２は、カセット装着部２２に装着されたテープカセット６に係合可能である。
【００３２】
本体筐体２の上側には、ラベル排出口２６が設けられる。ラベル排出口２６の右側の角部には、切断用ノブ１４が設けられる。切断用ノブ１４は、内側へ押圧操作されることによって、ラベル排出口２６の内側に設けられた可動刃１４１を固定刃１４２側へ移動させて、印刷済みのラベル媒体６０（図４参照）を切断する。固定刃１４２と可動刃１４１とによって切断された印刷済みのラベル媒体６０は、ラベル排出口２６から排出される。
【００３３】
図３に示すように、カセット装着部２２には、サーマルヘッド２９、プラテンローラ３０、テープサブローラ３１、テープ駆動ローラ軸３２およびリボン巻取軸３３等が配置される。プラテンローラ３０は、サーマルヘッド２９の右方に設けられる。テープサブローラ３１は、プラテンローラ３０の上側近傍に設けられる。テープ駆動ローラ軸３２は、テープサブローラ３１の左側に設けられる。リボン巻取軸３３は、カセット装着部２２の略中央に設けられる。
【００３４】
サーマルヘッド２９は、ヘッドホルダ２９１の右方を向く面に配設される。ヘッドホルダ２９１は、テープカセット６のヘッド挿入部６２におけるラベル媒体６０の搬送方向に略直交するように、カセット装着部２２に設けられる。
【００３５】
リボン巻取軸３３は、テープカセット６に設けられたリボン巻取スプール６３１に嵌入されて回転駆動する。テープ駆動ローラ軸３２は、テープカセット６に設けられたテープ送りローラ６３２に嵌入されて回転駆動する。リボン巻取軸３３とテープ駆動ローラ軸３２とは、ラベル媒体６０とインクリボン６１３（図４参照）とが同じ搬送速度で搬送されるように回転駆動される。
【００３６】
図２に示すように、本体筐体２の上下方向略中央より上側の右端部には、保護部３６が設けられる。保護部３６は、左方へ開口する。保護部３６には、貫通孔であるカム案内孔３６１およびカム案内孔３６２が形成される。保護部３６の前方には、図３に示すプラテンホルダ３８が、回動軸３７を中心に回動可能に軸支される。プラテンローラ３０とテープサブローラ３１とが、プラテンホルダ３８によって、平面視反時計回りに回転可能に軸支される。非図示のバネは、プラテンホルダ３８が回動軸３７を中心に右方へ回動するように付勢する。
【００３７】
＜テープカセット６の概略構成＞
テープカセット６の概略構成について説明する。なお、以下の説明では、図４の下方、上方、右方、左方、紙面前方、および紙面後方を、それぞれ、テープカセット６の前方、後方、右方、左方、上方、および下方とする。
【００３８】
図２に示すように、テープカセット６の形状は、平面視略長方形の箱型状である。テープカセット６は、上ケース６７１及び下ケース６７２を有する。図４に示すように、テープカセット６には、支持孔７１１、支持孔７１２、および支持孔７１３が形成される。支持孔７１１は、テープスプール７２を回動可能に支持する。ラベル媒体６０は、テープスプール７２に巻回される。テープスプール７２は、ラベル媒体６０が巻回されたロール６００を保持する。支持孔７１２は、リボン巻取スプール６３１を支持する。リボン巻取スプール６３１は、リボンスプール７４からインクリボン６１３を巻き取る。テープスプール７２およびリボンスプール７４は、それぞれ、下ケース６７２の下面に立設されたカセットボス７５１およびリールボス７５２に回転可能に嵌挿される。支持孔７１３は、テープ送りローラ６３２を回転可能に支持する。テープ送りローラ６３２とテープサブローラ３１（図３参照）とにより、テープスプール７２のロール６００からラベル媒体６０を引き出す。
【００３９】
テープカセット６の前面部には、アーム状に突出するアーム部６５が設けられる。ヘッド挿入部６２は、アーム部６５とアーム部６５に対向する側壁部７８１とによって、平面視略Ｕ字状に形成される。ヘッド挿入部６２には、ヘッドホルダ２９１（図３参照）が挿入される。
【００４０】
テープ送りローラ６３２の前側近傍には、上下一対の案内部材６９が設けられる。案内部材６９の後側近傍には、リボン分離部７６が設けられる。アーム部６５の前面壁部７０と、ヘッド挿入部６２側の背面壁部７８３との間の中央部には、薄板状の分離壁７８２が設けられる。分離壁７８２の左側近傍には、アーム開口部７９が形成される。
【００４１】
＜印刷手順の概要＞
図２、図３、図４に示すように、テープカセット６のリボン巻取スプール６３１およびテープ送りローラ６３２に、それぞれ、リボン巻取軸３３およびテープ駆動ローラ軸３２が嵌入されつつ、ヘッド挿入部６２にヘッドホルダ２９１が挿入される。カセット装着部２２の底面部に立設された位置決ボス４１が、カセットボス７５１に嵌入される。これにより、テープカセット６は、位置決めされた状態で押し込まれ、カセット装着部２２に装着される。テープカセット６がカセット装着部２２に装着された後、カバー５が閉じられる。カバー５が閉じた場合、カバー５に設けられたローラホルダカム（非図示）が、カム案内孔３６１に嵌入される。ローラホルダカムは、プラテンホルダ３８を左方へ押圧する。プラテンホルダ３８は、非図示のバネの付勢力に抗して左方へ回動される。
【００４２】
ラベル媒体６０は、テープスプール７２からガイドピン７３２を経てアーム部６５の前面壁部７０と分離壁７８２との間を搬送される。インクリボン６１３は、リボンスプール７４からガイドピン７３３を経てアーム部６５の背面壁部７８３と分離壁７８２との間を搬送される。次いで、インクリボン６１３とラベル媒体６０とは、重ね合わされてアーム開口部７９からヘッド挿入部６２へ搬送される。次いで、ラベル媒体６０とインクリボン６１３とは、プラテンローラ３０によってサーマルヘッド２９に押圧される。サーマルヘッド２９の発熱により、インクリボン６１３は上側から加熱される。これにより、ラベル媒体６０にインクが熱転写され、文字等の情報が印刷される。
【００４３】
次いで、インクリボン６１３は、リボン分離部７６によってラベル媒体６０から分離される。分離されたインクリボン６１３は、ガイドピン７３１を経てリボン巻取スプール６３１に巻き取られる。リボン分離部７６によってインクリボン６１３が分離された印刷済みのラベル媒体６０は、案内部材６９によって上下方向に規制されてテープ送りローラ６３２へ搬送される。次いで、印刷済みの第１ラベル媒体６０Ａは、テープ駆動ローラ軸３２によって回転駆動されるテープ送りローラ６３２に対し、テープサブローラ３１によって押圧される。印刷済みのラベル媒体６０は、テープ送りローラ６３２の回転によりラベル排出口２６から排出される。
【００４４】
＜第１実施例：第１ラベル媒体６０Ａ＞
図５を参照し、ラベル媒体６０の第１実施例である第１ラベル媒体６０Ａについて説明する。第１ラベル媒体６０Ａは、それぞれが長尺状の基材５１１（図５（Ａ）参照）及び台紙５１２（図５（Ｂ）参照）を有する。基材５１１及び台紙５１２は同一形状を有する。基材５１１は、ラベル５１Ａ、５１Ｂ、５１Ｃ・・・（総称して「ラベル５１」という。）、及び、枠状部５０を有する。ラベル５１Ａ、５１Ｂ、５１Ｃ・・・は、第１ラベル媒体６０Ａの長尺方向に並んで配置される。ラベル５１には、インクリボン６１３のインクが転写される。台紙５１２は、ラベル５１の使用時に剥離される剥離紙である。基材５１１（ラベル５１及び枠状部５０）と台紙５１２とは積層される。基材５１１と台紙５１２とのそれぞれの対向面に、粘着剤が塗布される。粘着剤は、基材５１１と台紙５１２との間に配置される。ラベル５１及び枠状部５０は、粘着剤によって台紙５１２に貼付される。図５の左右方向は、第１ラベル媒体６０Ａの基材５１１及び台紙５１２のそれぞれの面と平行に延び、第１ラベル媒体６０Ａの長尺方向に対応する。第１ラベル媒体６０Ａのうち図５の右側の端部は、テープスプール７２に接続する。第１ラベル媒体６０Ａは、図５の左側の端部側から順にサーマルヘッド２９の近傍を通過して印刷が実行され、ラベル排出口２６を介して排出される。
【００４５】
以下、第１ラベル媒体６０Ａの長尺方向のうちテープスプール７２に接続する側と反対側に向かう方向（図５における左方向）を、「第１方向」という。第１ラベル媒体６０Ａの長尺方向のうちテープスプール７２に接続する側に向かう方向（図５における右方向）を、「第２方向」という。第１方向及び第２方向は、長尺方向と平行である。長尺方向と直交する方向を「直交方向」という。直交方向のうち一方側に向かう方向（図５における上方向）を、「第３方向」という。直交方向のうち他方側に向かう方向（図５における下方向）を、「第４方向」という。第３方向及び第４方向は、直交方向と平行である。
【００４６】
図５（Ａ）に示すように、ラベル５１は、第１表示部５２１、第２表示部５２２、第１巻付部５３１、第２巻付部５３２、第１貫通部５４１、第２貫通部５４２、重複部５６を有する。第１表示部５２１及び第２表示部５２２は同一形状且つ同一サイズを有する。第１巻付部５３１及び第２巻付部５３２は同一形状且つ同一サイズを有する。第１貫通部５４１、第２貫通部５４２は同一形状且つ同一サイズを有する。第１表示部５２１、第２表示部５２２を総称して「表示部５２」という。第１巻付部５３１、第２巻付部５３２を総称して「巻付部５３」という。第１貫通部５４１、第２貫通部５４２を総称して「貫通部５４」という。
【００４７】
表示部５２は略正方形である。第１表示部５２１及び第２表示部５２２は、長尺方向（第１方向及び第２方向）に並ぶ。より詳細には、第１表示部５２１及び第２表示部５２２は、この順番で第１方向に並ぶ。第１表示部５２１は、第２表示部５２２に対して第２方向側に配置される。第１表示部５２１の第１方向側の端部と、第２表示部５２２の第２方向側の端部とは、第１ライン５５１を介して互いに連結される。第１ライン５５１は、直交方向（第３方向及び第４方向）と平行に延びる。第１ライン５５１は、基材５１１に形成されたミシン目である。第１表示部５２１及び第２表示部５２２は、第１ライン５５１に沿って直交方向に延びる第１仮想ライン５５１Ａを基準として線対称となる位置に配置される。表示部５２の直交方向（第３方向及び第４方向）の長さを、「Ａ１」と表記する。
【００４８】
表示部５２はインクリボン６１３のインクが転写されることによって情報が印刷される領域５２Ａを有する。第１表示部５２１が有する領域５２Ａを、「領域５２１Ａ」といい、第２表示部５２２が有する領域５２Ａを、「領域５２２Ａ」という。
【００４９】
第２巻付部５３２は、第２表示部５２２の第１方向側の端部に連結する。第２巻付部５３２は略長方形である。第２巻付部５３２の長手方向は長尺方向に延びる。第２巻付部５３２の直交方向の長さは、表示部５２の直交方向の長さＡ１よりも短い。第２巻付部５３２は、第２表示部５２２の第１方向側の端部のうち直交方向の中央から、第１方向に向けて延びる。第２巻付部５３２の直交方向の長さを、「Ｂ１」と表記する。
【００５０】
第２貫通部５４２は、第２巻付部５３２の第１方向側の端部に連結する。第２貫通部５４２は略長方形である。第２貫通部５４２の直交方向の長さは、表示部５２の直交方向の長さＡ１と同一であり、第２巻付部５３２の直交方向の長さＢ１よりも長い。第１貫通部５４１は、第２貫通部５４２に対して第１方向側に配置される。第１貫通部５４１の第２方向側の端部と、第２貫通部５４２の第１方向側の端部とは、第２ライン５５２を介して互いに連結される。第２ライン５５２は、直交方向と平行に延びる。第２ライン５５２は、基材５１１に形成されたミシン目である。第１貫通部５４１及び第２貫通部５４２は、第２ライン５５２に沿って直交方向に延びる第２仮想ライン５５２Ａを基準として線対称となる位置に配置される。
【００５１】
第１巻付部５３１は、第１貫通部５４１の第１方向側の端部に連結する。第１巻付部５３１は略長方形である。第１巻付部５３１の長手方向は長尺方向に延びる。第１巻付部５３１の直交方向の長さはＢ１である。第１巻付部５３１の直交方向の長さは、表示部５２及び貫通部５４のそれぞれの直交方向の長さＡ１よりも短い。第１巻付部５３１は、第１貫通部５４１の第１方向側の端部のうち直交方向の中央から、第１方向に向けて延びる。第１巻付部５３１及び第２巻付部５３２は、第２仮想ライン５５２Ａを基準として線対称となる位置に配置される。
【００５２】
重複部５６は、第１巻付部５３１の第１方向側の端部に設けられる。重複部５６は略長方形である。重複部５６の直交方向の長さは、巻付部５３の直交方向の長さよりも僅かに長い。
【００５３】
第１表示部５２１、第２表示部５２２、第２巻付部５３２、第２貫通部５４２、第１貫通部５４１、第１巻付部５３１、重複部５６は、この順番で第１方向に並ぶ。つまり、第１表示部５２１、第２表示部５２２、第２巻付部５３２、第２貫通部５４２、第１貫通部５４１、第１巻付部５３１、重複部５６は、この順番で、テープスプール７２に接続する側と反対側に向けて順番に並ぶ。第１巻付部５３１及び第１貫通部５４１は、この順で第２方向に並ぶ。第１表示部５２１、第２表示部５２２、第２巻付部５３２、第２貫通部５４２、第１貫通部５４１、第１巻付部５３１、重複部５６のそれぞれの直交方向の中央を含む一部は、第１方向に重なる。
【００５４】
第１貫通部５４１は第１切れ目５４１Ａを有し、第２貫通部５４２は第２切れ目５４２Ａを有する。第１切れ目５４１Ａ、第２切れ目５４２Ａは、直交方向に延びる。第１切れ目５４１Ａ、第２切れ目５４２Ａは、第２仮想ライン５５２Ａを基準として線対称となる位置に配置される。第１切れ目５４１Ａ、第２切れ目５４２Ａのそれぞれの直交方向の長さＤ１は、巻付部５３の直交方向の長さＢ１と同一である。第１切れ目５４１Ａ、第２切れ目５４２Ａを総称して、「切れ目５４Ａ」という。切れ目５４Ａ、第１巻付部５３１、第２巻付部５３２は、第１方向に重なる。
【００５５】
第１貫通部５４１及び第１巻付部５３１に亘って第１切れ目５４１Ｂが形成される。第１切れ目５４１Ｂは、第１切れ目５４１Ａの直交方向中央から第１方向に向けて、第１貫通部５４１及び第１巻付部５３１のそれぞれの直交方向中央を通って延びる。第２貫通部５４２及び第２巻付部５３２に亘って第２切れ目５４２Ｂが形成される。第２切れ目５４２Ｂは、第２切れ目５４２Ａの直交方向中央から第２方向に向けて、第２貫通部５４２及び第２巻付部５３２のそれぞれの直交方向中央を通って延びる。第１切れ目５４１Ｂ、第２切れ目５４２Ｂは、第２仮想ライン５５２Ａを基準として線対称となる位置に配置される。第１切れ目５４１Ｂ、第２切れ目５４２Ｂのそれぞれの長尺方向の長さＣ１は、表示部５２の直交方向の長さＡ１と同一である。第１切れ目５４１Ｂ、第２切れ目５４２Ｂを総称して、「切れ目５４Ｂ」という。切れ目５４Ｂ、第１巻付部５３１、第２巻付部５３２は、第１方向に重なる。
【００５６】
枠状部５０は、基材５１１のうちラベル５１を除く部位である。基材５１１のうちラベル５１と枠状部５０との境界部分には、切れ目が形成される。使用者は、基材５１１を切れ目によって切り離すことによって、台紙５１２からラベル５１のみを剥がすことができる。この時、枠状部５０が台紙５１２に貼付された状態は維持される。
【００５７】
図５（Ｂ）に示すように、台紙５１２には、長尺方向に一直線状に延びる複数のミシン目５１Ｚが設けられる。各ミシン目５１Ｚは、台紙５１２のうち、ラベル５１Ａ、５１Ｂ、５１Ｃのそれぞれの第１ライン５５１と対向する位置を通過する。つまり、ミシン目５１Ｚは、台紙５１２のうち第１仮想ライン５５１Ａと対向する位置に配置される。
【００５８】
図５、図６を参照し、ケーブル状の被着体Ｋに対するラベル５１の取り付け方法について説明する。印字装置１は、図５に示すラベル５１の表示部５２の領域５２Ａに対して情報を印刷する。図５、図６では、印刷された情報は省略されている。使用者は、台紙５１２のミシン目５１Ｚに沿って第１ラベル媒体６０Ａを折り曲げ、元に戻す。これによって、基材５１１の第１ライン５５１及び第２ライン５５２に曲げ癖がつく。図６（Ａ）に示すように、第１ラベル媒体６０Ａの台紙５１２からラベル５１が剥がされる。
【００５９】
はじめに使用者は、ラベル５１を第２ライン５５２で折り曲げる。ラベル５１の巻付部５３及び貫通部５４のそれぞれのうち粘着剤が塗布された面同士が貼り合わせられる。ここで、第１巻付部５３１及び第２巻付部５３２、第１貫通部５４１及び第２貫通部５４２は、第２ライン５５２を通過する第２仮想ライン５５２Ａ（図５参照）を基準として線対称の形状を有する。従って、第１巻付部５３１及び第２巻付部５３２、第１貫通部５４１及び第２貫通部５４２は、それぞれ、ずれなく貼付される。このため、巻付部５３及び貫通部５４のそれぞれの粘着剤が塗布された面は露出しない。又、第１切れ目５４１Ａ及び第２切れ目５４２Ａ、第１切れ目５４１Ｂ及び第２切れ目５４２Ｂは、それぞれ、第２仮想ライン５５２Ａを基準として線対称となる位置に配置される。従って、第１切れ目５４１Ａ及び第２切れ目５４２Ａ、第１切れ目５４１Ｂ及び第２切れ目５４２Ｂは、それぞれ、ずれなく貼付される。又、重複部５６は、第２表示部５２２のうち第２巻付部５３２との連結部分に貼付される。
【００６０】
次に使用者は、ラベル５１を第１ライン５５１で折り曲げる。図６（Ｂ）に示すように、ラベル５１の表示部５２のそれぞれのうち粘着剤が塗布された面同士が貼り合わせられる。ここで、第１表示部５２１及び第２表示部５２２は、第１ライン５５１を通過する第１仮想ライン５５１Ａ（図５参照）を基準として線対称の形状を有する。従って、第１表示部５２１及び第２表示部５２２は、ずれなく貼付される。このため、表示部５２の粘着剤が塗布された面は露出しない。又、第２表示部５２２のうち第２巻付部５３２との連結部分に貼付された重複部５６に、第１表示部５２１のうち第１巻付部５３１との連結部分が重ねられて貼付される。つまり、重複部５６は、第１表示部５２１のうち第１巻付部５３１との連結部分と、第２表示部５２２のうち第２巻付部５３２との連結部分とに重なり、双方によって両側から挟まれる。
【００６１】
次に使用者は、巻付部５３を被着体Ｋに重ねる。図６（Ｃ）に示すように、使用者は巻付部５３を捻って折り曲げ、貫通部５４の切れ目５４Ｂに表示部５２を通す。これにより、巻付部５３は被着体Ｋに巻き付く。次に使用者は、図６（Ｄ）に示すように、巻付部５３の捻りを元に戻し、貫通部５４の切れ目５４Ａに巻付部５３を通す。更に、使用者は、表示部５２及び巻付部５３を引っ張る。被着体Ｋに対して巻付部５３が締め付けられる。これにより、被着体Ｋに対するラベル５１の取り付けは完了する。ラベル５１は、被着体Ｋに巻付部５３が巻き付いた状態で、被着体Ｋに保持される。
【００６２】
なお、使用者は、被着体Ｋに対する巻付部５３の締め付けを緩めることによって、被着体Ｋに対するラベル５１の保持位置を変更できる。又、表示部５２及び巻付部５３を貫通部５４の切れ目５４Ａ、５４Ｂから抜くことによって、被着体Ｋからラベル５１を取り外すことができる。
【００６３】
＜第１実施例の作用、効果＞
第１ラベル媒体６０Ａにおいて、ラベル５１の第１表示部５２１及び第２表示部５２２は、第１ライン５５１を通過する第１仮想ライン５５１Ａに対して線対称の形状を有する。第１巻付部５３１及び第２巻付部５３２、第１貫通部５４１及び第２貫通部５４２、第１切れ目５４１Ａ、５４１Ｂ及び第２切れ目５４２Ａ、５４２Ｂは、それぞれ、第２ライン５５２を通過する第２仮想ライン５５２Ａに対して線対称の形状を有する。このため、ラベル５１が台紙５１２から剥がされた後、初めに第２ライン５５２に沿ってラベル５１が折り曲げられた場合、第１巻付部５３１及び第２巻付部５３２、第１貫通部５４１及び第２貫通部５４２、第１切れ目５４１Ａ、５４１Ｂ及び第２切れ目５４２Ａ、５４２Ｂは、それぞれ互いに重ね合わせられる。次いで、第１ライン５５１に沿ってラベル５１が折り曲げられた場合、第１表示部５２１及び第２表示部５２２は、それぞれ互いに重ね合わせられる。この状態で、使用者は、貫通部５４の切れ目５４Ａ、５４Ｂに表示部５２を貫通させ、ケーブル状の被着体Ｋに巻付部５３を巻付ける。これにより、ラベル５１は被着体Ｋに保持される。この場合、ラベル５１は、被着体Ｋに対して粘着剤により接着されないので、被着体Ｋに対してラベル５１を移動させたり、被着体Ｋからラベル５１を取り外したりすることが容易に可能となる。
【００６４】
ラベル５１は、第１表示部５２１と第２表示部５２２との連結部分に第１ライン５５１を有し、第１貫通部５４１と第２貫通部５４２との連結部分に第２ライン５５２を有する。このため、それぞれでラベル５１を折り曲げることによって、第１表示部５２１及び第２表示部５２２と、第１貫通部５４１及び第２貫通部５４２とがそれぞれ重なりあう時にずれることを抑制できる。
【００６５】
第１貫通部５４１と第２貫通部５４２との連結部分に設けられる第２ライン５５２は、直交方向に延びる。このため、第１貫通部５４１及び第２貫通部５４２は、第２ライン５５２を挟んで長尺方向に並んで配置される。この場合、ラベル５１の直交方向の長さを抑制できるので、第１ラベル媒体６０Ａにおいて必要な幅を抑制できる。
【００６６】
第１表示部５２１、第２表示部５２２、第１巻付部５３１、第２巻付部５３２、第１貫通部５４１、及び第２貫通部５４２のそれぞれの直交方向の中央を含む一部は、第１方向に重なる。この場合、第１ラベル媒体６０Ａは、ラベル５１の直交方向の長さを抑制できるので、第１ラベル媒体６０Ａにおいて必要な幅を抑制できる。
【００６７】
ラベル５１において、第１巻付部５３１に重複部５６が設けられる。重複部５６は、ラベル５１が第２ライン５５２に沿って折り曲げられた場合、第２表示部５２２に重ねて配置される。又、ラベル５１が次に第１ライン５５１に沿って折り曲げられた場合、第１表示部５２１は、重複部５６と重なる位置に配置される。重複部５６は、表示部５２のうち巻付部５３と接続する部分に重ねて配置される。この場合、ラベル５１のうち表示部５２と巻付部５３との連結部分の強度を、重複部５６によって向上させることができる。
【００６８】
貫通部５４の切れ目５４Ｂの長尺方向の長さＣ１は、表示部５２の直交方向の長さＡ１と等しい。この場合、使用者は、被着体Ｋにラベル５１を取り付ける過程で、表示部５２を伸ばした状態で切れ目５４Ｂに通すことができる。従って、使用者は、切れ目５４Ｂに表示部５２を容易に通すことができるので、被着体Ｋにラベル５１を簡単に取り付けることができる。又、貫通部５４の強度を考慮した場合、切れ目５４Ｂの長さは短い方が好ましい、これに対し、貫通部５４の切れ目５４Ｂの長さＣ１と、表示部５２の長さＡ１とを同一とすることによって、表示部５２を伸ばした状態で切れ目５４Ｂに通すことができると同時に、切れ目５４Ｂの大きさを抑制できる。従って、第１ラベル媒体６０Ａは、貫通部５４の強度を維持できる。
【００６９】
貫通部５４の切れ目５４Ａの直交方向の長さＤ１は、巻付部５３の直交方向の長さＢ１と等しい。この場合、使用者は、被着体Ｋにラベル５１を取り付ける過程で、巻付部５３を伸ばした状態で切れ目５４Ａに通すことができる。従って、使用者は、切れ目５４Ａに巻付部５３を容易に通すことができるので、被着体Ｋにラベル５１を簡単に取り付けることができる。又、被着体Ｋにラベル５１が保持された状態で、巻付部５３が曲折することを抑制できる。このため、使用者は、被着体Ｋに対してラベル５１を強く保持させることができる。更に、貫通部５４の強度を考慮した場合、切れ目５４Ａの長さは短い方が好ましい、これに対し、貫通部５４の切れ目５４Ａの長さＣ１と、巻付部５３の長さＢ１とを同一とすることによって、巻付部５３を伸ばした状態で被着体Ｋに取り付け可能としつつ、切れ目５４Ａの大きさを抑制できる。従って、第１ラベル媒体６０Ａは、貫通部５４の強度を維持できる。
【００７０】
巻付部５３の直交方向の長さＢ１は、表示部５２及び貫通部５４の直交方向の長さＡ１よりも小さい。この場合、表示部５２の直交方向の長さを相対的に大きくできるので、印字装置１による印刷が印刷可能な領域５２Ａの面積を大きくできる。又、貫通部５４の直交方向の長さを相対的に大きくできるので、切れ目５４Ａ、５４Ｂが形成された状態での貫通部５４の強度を維持できる。
【００７１】
ラベル５１及び枠状部５０を含む基材５１１と台紙５１２との間に、粘着剤が塗布される。このため使用者は、ラベル５１を台紙５１２から剥がし、第１ライン５５１及び第２ライン５５２に沿ってラベル５１を折り曲げることによって、第１表示部５２１及び第２表示部５２２、第１巻付部５３１及び第２巻付部５３２、第１貫通部５４１及び第２貫通部５４２を粘着剤によって貼り合わせることができる。
【００７２】
基材５１１及び台紙５１２は長尺状を有する。ラベル５１Ａ、５１Ｂ、５１Ｃ・・・は、それぞれ、長尺方向に並ぶ表示部５２、巻付部５３、貫通部５４を有し、且つ、台紙５１２の長尺方向に並んで配置される。この場合、第１ラベル媒体６０Ａは、ラベル５１Ａ、５１Ｂ、５１Ｃ・・・を直交方向に並べて配置する場合と比べて、ラベル５１Ａ、５１Ｂ、５１Ｃ・・・を台紙５１２に効率的に並べて配置させることができる。
【００７３】
第１ライン５５１及び第２ライン５５２は、基材５１１に形成されたミシン目である。この場合、使用者は、第１ライン５５１及び第２ライン５５２に沿ってラベル５１を容易に折り曲げることができる。
【００７４】
ラベル５１において、第１表示部５２１と第２表示部５２２は同一形状かつ同一サイズである。第１巻付部５３１と第２巻付部５３２は同一形状かつ同一サイズである。第１貫通部５４１と第２貫通部５４２は同一形状かつ同一サイズである。従って、使用者は、第１ライン５５１及び第２ライン５５２に沿ってラベル５１を折り曲げたときに、第１表示部５２１及び第２表示部５２２、第１巻付部５３１及び第２巻付部５３２、第１貫通部５４１及び第２貫通部５４２をずれなく重ね合わせることができる。
【００７５】
第１切れ目５４１Ａ、５４１Ｂと第１巻付部５３１とは長尺方向に並ぶ。同様に、第２切れ目５４２Ａ、５４２Ｂと第２巻付部５３２とは長尺方向に並ぶ。このため、第１切れ目５４１Ａ、５４１Ｂと第１巻付部５３１とは第１方向に重なり、且つ、第２切れ目５４２Ａ、５４２Ｂと第２巻付部５３２とは第１方向に重なる。この場合、被着体Ｋにラベル５１を取り付ける過程で巻付部５３を長尺方向に折り曲げることによって、巻付部５３を貫通部５４の切れ目５４Ｂに通すことができる。この場合、巻付部５３の折り曲げ方向と、被着体Ｋの延びる方向とは直交することになるので、被着体Ｋに対する巻付部５３の接触面積を大きくできる。従って、使用者は、被着体Ｋにラベル５１を安定的に取り付けることができる。
【００７６】
印字装置１は、印刷の開始時点で第１ラベル媒体６０Ａのうちサーマルヘッド２９の近傍よりも下流側の部分（即ち、第１ラベル媒体６０Ａのうちサーマルヘッド２９の近傍とラベル排出口２６の近傍との間の部分）に対して印刷を実行できない場合がある。理由は、第１ラベル媒体６０Ａの上記部分は、サーマルヘッド２９の近傍を既に通過して下流側に移動しているためである。この場合、印字装置１は第１ラベル媒体６０Ａを効率的に使用することができないため、好ましくない。
【００７７】
これに対し、第１ラベル媒体６０Ａのラベル５１の第１表示部５２１、第２表示部５２２、第２巻付部５３２、前記第２貫通部５４２、第１貫通部５４１、及び第１巻付部５３１は、この順で第１方向に並ぶ。つまり、第１ラベル媒体６０Ａが印刷時に搬送される過程で、ラベル５１の貫通部５４及び巻付部５３がサーマルヘッド２９の近傍を通過した後、ラベル５１の表示部５２がサーマルヘッド２９の近傍を通過する。従って、印字装置１は、印刷の開始時点で第１ラベル媒体６０Ａのうちサーマルヘッド２９の近傍よりも下流側の部分に表示部５２が含まれる可能性を軽減できる。従って、印字装置１は、第１ラベル媒体６０Ａを効率的に使用して表示部５２の領域５２Ａに情報を印刷できる。
【００７８】
＜第２実施例：第２ラベル媒体６０Ｂ＞
図７を参照し、ラベル媒体６０の第２実施例である第２ラベル媒体６０Ｂについて説明する。第１ラベル媒体６０Ａと同一構成については、第１ラベル媒体６０Ａと同一符号を付し、説明を省略する。基材５１１は、ラベル８１Ａ、８１Ｂ、８１Ｃ・・・（総称して「ラベル８１」という。）、及び、枠状部５０を有する。ラベル８１Ａ、８１Ｂ、８１Ｃ・・・は、第２ラベル媒体６０Ｂの長尺方向に並んで配置される。
【００７９】
図７（Ａ）に示すように、ラベル８１は、第１表示部８２１、第２表示部８２２、第１延伸部８０１（第１巻付部８３１、第１貫通部８４１）、第２延伸部８０２（第２巻付部８３２、第２貫通部８４２）、重複部８６を有する。第１表示部８２１及び第２表示部８２２（総称して「表示部８２」という。）は同一形状且つ同一サイズを有し、且つ、ラベル５１における第１表示部５２１及び第２表示部５２２と同一形状且つ同一サイズを有する。第１延伸部８０１及び第２延伸部８０２（総称して「延伸部８０」という。）は同一形状且つ同一サイズを有する。第１巻付部８３１及び第２巻付部８３２（総称して「巻付部８３」という。）は同一形状且つ同一サイズを有する。第１貫通部８４１、第２貫通部８４２（総称して「貫通部８４」という。）は同一形状且つ同一サイズを有する。
【００８０】
第１表示部８２１及び第２表示部８２２は、この順番で第１方向に並ぶ。第１表示部８２１は、第２表示部８２２に対して第２方向側に配置される。第１表示部８２１の第１方向側の端部と、第２表示部８２２の第２方向側の端部とは、直交方向に延びる第１ライン８５１を介して互いに連結される。第１ライン８５１は、基材５１１に形成されたミシン目である。第１表示部８２１及び第２表示部８２２は、第１ライン８５１に沿って直交方向に延びる第１仮想ライン８５１Ａを基準として線対称となる位置に配置される。表示部８２の直交方向の長さを、「Ａ２」と表記する。第１表示部８２１の領域８２１Ａ、及び、第２表示部８２２の領域８２２Ａ（総称して「領域８２Ａ」という。）にはインクリボン６１３のインクが転写されることによって情報が印刷される。
【００８１】
重複部８６は、第１表示部８２１の第２方向側に設けられる。重複部８６は略長方形である。重複部８６は、第１表示部８２１の第２方向側の端部のうち直交方向中央よりも第４方向側の部分から、第２方向側に向けて突出する。重複部８６の直交方向の長さを、Ｅ２と表記する。長さＥ２は、表示部８２の直交方向の長さＡ２の１／２である。
【００８２】
第２延伸部８０２は、第２表示部８２２の第１方向側の端部に連結する。第２延伸部８０２は略長方形である。第２延伸部８０２の長手方向は長尺方向に延びる。第２延伸部８０２は、第２表示部８２２の第１方向側の端部のうち直交方向中央よりも第４方向側の部分から、第１方向に向けて延びる。第２延伸部８０２のうち、長尺方向中央よりも第２方向側の部分は、第２巻付部８３２に対応する。第２延伸部８０２のうち、長尺方向中央よりも第１方向側の部分は、第２貫通部８４２に対応する。従って、第２巻付部８３２は、第２表示部８２２の第１方向側の端部に連結し、第２貫通部８４２は、第２巻付部８３２の第１方向側の端部に連結する。第２延伸部８０２の直交方向の長さを、「Ｂ２」と表記する。第２巻付部８３２及び第２貫通部８４２の直交方向の長さは、Ｂ２である。長さＢ２は、表示部８２の直交方向の長さＡ１の１／２であり、重複部８６の直交方向の長さＥ２と同一である。
【００８３】
第１延伸部８０１は、第２延伸部８０２に対して第３方向側、且つ、第２表示部８２２に対して第１方向側に配置される。第１延伸部８０１の直交方向の長さはＢ２である。第１延伸部８０１、第１表示部８２１、第２表示部８２２のそれぞれの第３方向側の端部は、直交方向において一致する。第１延伸部８０１のうち、第２延伸部８０２の第２巻付部８３２に対して第３方向側に配置される部分は、第１巻付部８３１に対応する。第１延伸部８０１のうち、第２延伸部８０２の第２貫通部８４２に対して第３方向側に配置される部分は、第１貫通部８４１に対応する。
【００８４】
第１延伸部８０１の第４方向側の端部と、第２延伸部８０２の第３方向側の端部とは、第２ライン８５２を介して互いに連結される。第２ライン８５２は、長尺方向と平行に延びる。第２ライン８５２は、基材５１１に形成されたミシン目である。言い換えれば、第１貫通部８４１の第４方向側の端部と、第２貫通部８４２の第３方向側の端部とは、第２ライン８５２を介して互いに連結される。第１巻付部８３１の第４方向側の端部と、第２巻付部８３２の第３方向側の端部とは、第２ライン８５２を介して互いに連結される。一方、第１延伸部８０１の第２方向側の端部と、第２表示部８２２の第１方向側の端部とは連結しない。即ち、第１巻付部８３１の第２方向側の端部と、第２表示部８２２の第１方向側の端部とは連結しない。
【００８５】
第１延伸部８０１及び第２延伸部８０２は、第２ライン８５２に沿って直交方向に延びる第２仮想ライン８５２Ａを基準として線対称となる位置に配置される。より詳細には、第１貫通部８４１及び第２貫通部８４２は、第２仮想ライン８５２Ａを基準として線対称となる位置に配置され、第１巻付部８３１及び第２巻付部８３２は、第２仮想ライン８５２Ａを基準として線対称となる位置に配置される。
【００８６】
第１表示部５２１、第２表示部５２２、第２巻付部５３２、第２貫通部５４２は、この順番で第１方向に並ぶ。第１表示部５２１、第２表示部５２２、第１巻付部５３１、第１貫通部５４１は、この順番で第１方向に並ぶ。つまり、第１表示部５２１、第２表示部５２２、第２巻付部５３２、第２貫通部５４２は、この順番で、テープスプール７２に接続する側と反対側に向けて順番に並ぶ。第１表示部５２１、第２表示部５２２、第１巻付部５３１、第１貫通部５４１は、この順番で、テープスプール７２に接続する側と反対側に向けて順番に並ぶ。第１表示部８２１及び第２表示部８２２のそれぞれにおける直交方向中央よりも第３方向側の部分、第１巻付部８３１、第１貫通部８４１は、第１方向に重なる。第１表示部８２１及び第２表示部８２２のそれぞれにおける直交方向中央よりも第４方向側の部分、第２巻付部８３２、第２貫通部８４２は、第１方向に重なる。
【００８７】
第１貫通部８４１は第１切れ目８４１Ａを有し、第２貫通部８４２は第２切れ目８４２Ａを有する。第１切れ目８４１Ａ、第２切れ目８４２Ａは、長尺方向に直線状に延びる。第１切れ目８４１Ａ、第２切れ目８４２Ａは、第２仮想ライン８５２Ａを基準として線対称となる位置に配置される。第１切れ目８４１Ａ、第２切れ目８４２Ａのそれぞれの長尺方向の長さＣ２は、表示部８２の直交方向の長さＡ２と同一である。第１巻付部８３１の一部と第１切れ目５４１Ａとは第１方向に重なり、第２巻付部８３２の一部と第２切れ目５４２Ａとは第１方向に重なる。第１切れ目８４１Ａ、第２切れ目８４２Ａを総称して、「切れ目８４Ａ」という。
【００８８】
図５（Ｂ）に示すように、台紙５１２には複数のミシン目８１１Ｚ、８１２Ｚが設けられる。各ミシン目８１１Ｚは、台紙５１２のうち、ラベル８１Ａ、８１Ｂ、８１Ｃのそれぞれの第１ライン８５１と対向する位置を通過する。つまり、ミシン目８１１Ｚは、台紙５１２のうち第１仮想ライン５５１Ａと対向する位置に配置される。ミシン目８１２Ｚは、台紙５１２のうち、ラベル８１Ａ、８１Ｂ、８１Ｃのそれぞれの第２ライン８５２と対向する位置を通過する。つまり、ミシン目８１２Ｚは、台紙５１２のうち第２仮想ライン８５２Ａと対向する位置に配置される。
【００８９】
図７、図８を参照し、ケーブル状の被着体Ｋに対するラベル８１の取り付け方法について説明する。図７、図８では、印刷された情報は省略されている。使用者は、台紙５１２のミシン目８１１Ｚ、８１２Ｚに沿って第１ラベル媒体６０Ａを折り曲げ、元に戻す。これによって、基材５１１の第１ライン８５１及び第２ライン８５２に曲げ癖がつく。図８（Ａ）に示すように、第２ラベル媒体６０Ｂの台紙５１２からラベル８１が剥がされる。
【００９０】
はじめに使用者は、ラベル８１を第１ライン８５１で折り曲げる。ラベル８１の表示部８２のそれぞれのうち粘着剤が塗布された面同士が貼り合わせられる。ここで、第１表示部８２１及び第２表示部８２２は、第１ライン８５１を通過する第１仮想ライン５５１Ａ（図７参照）を基準として線対称の形状を有する。従って、第１表示部８２１及び第２表示部８２２は、ずれなく貼付される。このため、表示部８２の粘着剤が塗布された面は露出しない。又、重複部８６は、第２巻付部８３２のうち第２表示部８２２との連結部分の近傍に貼付される。
【００９１】
次に使用者は、ラベル８１を第２ライン８５２で折り曲げる。図８（Ｂ）に示すように、ラベル８１の巻付部８３及び貫通部８４のそれぞれのうち粘着剤が塗布された面同士が貼り合わせられる。ここで、第１巻付部８３１及び第２巻付部８３２、第１貫通部８４１及び第２貫通部８４２は、第２ライン５５２を通過する第２仮想ライン８５２Ａ（図７参照）を基準として線対称の形状を有する。従って、第１巻付部８３１及び第２巻付部８３２、第１貫通部８４１及び第２貫通部８４２は、それぞれ、ずれなく貼付される。このため、巻付部８３及び貫通部８４のそれぞれの粘着剤が塗布された面は露出しない。又、第１切れ目８４１Ａ及び第２切れ目８４２Ａは、第２仮想ライン８５２Ａを基準として線対称となる位置に配置される。従って、第１切れ目８４１Ａ及び第２切れ目８４２Ａは、それぞれ、ずれなく貼付される。更に、第２巻付部８３２のうち重複部８６が貼付された部分に、第１巻付部８３１が重ねられて貼付される。つまり、重複部８６は、第１巻付部８３１及び第２巻付部８３２のそれぞれの一部と重なる。
【００９２】
次に使用者は、図８（Ｃ）に示すように、巻付部８３を被着体Ｋに重ね、巻付部８３を折り曲げる。このとき、使用者は、巻付部８３を捻って折り曲げることによって、貫通部８４の切れ目８４Ａに表示部８２を通す。これにより、巻付部８３は被着体Ｋに巻き付く。次に使用者は、図６（Ｄ）に示すように、そのまま表示部８２及び巻付部８３を引っ張る。被着体Ｋに対して巻付部８３が締め付けられる。これにより、被着体Ｋに対するラベル８１の取り付けは完了する。
【００９３】
＜第２実施例の作用、効果＞
第２ラベル媒体６０Ｂにおいて、第２ライン８５２は、第１巻付部８３１及び第２巻付部８３２を連結し、且つ、第１貫通部８４１及び第２貫通部８４２を連結する。第２ライン８５２は長尺方向に延びる。つまり、巻付部８３及び貫通部８４の延びる方向と、第２ライン８５２の延びる方向とは、互いに平行である。この場合、ラベル８１が第２ライン８５２で折り曲げられた場合において、第１巻付部８３１及び第２巻付部８３２、第１貫通部８４１及び第２貫通部８４２がそれぞれ重なりあう時にずれることを抑制できる。
【００９４】
第１表示部８２１及び第２表示部８２２のそれぞれにおいて直交方向中央よりも第３方向側の部分、第１巻付部８３１、第１貫通部８４１は、第１方向に重なる。第１表示部８２１及び第２表示部８２２のそれぞれにおいて直交方向よりも第４方向側の部分、第２巻付部８３２、第２貫通部８４２は、第１方向に重なる。この場合、ラベル８１の直交方向の長さを抑制できるので、第２ラベル媒体６０Ｂの幅を抑制できる。
【００９５】
第１表示部８２１の第２方向側に重複部８６が設けられる。ラベル８１が第１ライン８５１及び第２ライン８５２に沿って折り曲げられた場合、重複部８６は、第１巻付部８３１及び第２巻付部８３２のそれぞれの一部分と重なる。この場合、ラベル８１のうち表示部８２と巻付部８３との連結部分の強度を大きくできる。
【００９６】
＜変形例＞
本発明は上記実施形態に限定されず、種々の変更が可能である。以下、特段限定のない限り、第１実施例における第１ラベル媒体６０Ａ（ラベル５１）を例に挙げて説明するが、第２実施例における第２ラベル媒体６０Ｂ（ラベル８１）にも同様の変形例が適用可能である。
【００９７】
上記において、「長さが同一」とは、完全同一である場合だけでなく、実質同一の場合を包含するこうとは言うまでもない。このため例えば、表示部５２の直交方向の長さＡ１と貫通部５４の切れ目５４Ａの長尺方向の長さＣ１とは、実質的に同一であればよく、厳密には双方は相違していてもよい。同様に、巻付部５３の直交方向の長さＢ１と、貫通部５４の切れ目５４Ｂの直交方向の長さＤ１とは、実質的に同一であればよく、厳密には双方は相違していていてもよい。同様に、「第１仮想ライン５５１Ａに対して線対称」「第２仮想ライン５５２Ａに対して線対称」とは、厳密な対称関係だけでなく、実質的に対称関係を有している場合を包含することは言うまでもない。このため例えば、第１表示部５２１と第２表示部５２２、第１巻付部５３１と第２巻付部５３２、第１貫通部５４１と第２貫通部５４２、第１切れ目５４１Ａと第２切れ目５４２Ａ、第１切れ目５４１Ｂと第２切れ目５４２Ｂは、それぞれ、第１仮想ライン５５１Ａ又は第２仮想ライン５５２Ａに対する対称形状に対して僅かに相違していてもよい。
【００９８】
表示部５２の直交方向の長さＡ１を、貫通部５４の切れ目５４Ｂの長尺方向の長さＣ１よりも小さくしてもよい。この場合、使用者は、貫通部５４の切れ目５４Ａに表示部５２を更に容易に貫通させることができる。巻付部５３の直交方向の長さＢ１を、貫通部５４の切れ目５４Ａの直交方向の長さＤ１よりも小さくしてもよい。この場合、使用者は、貫通部５４に巻付部５３が貫通した状態で、巻付部５３が折れ曲がることを更に適切に抑制できる。
【００９９】
切れ目５４Ａ、５４Ｂの代わりに孔が設けられていてもよい。表示部５２の直交方向の長さＡ１と孔の長尺方向の長さとを同一としてもよいし、表示部５２の直交方向の長さＡ１よりも孔の長尺方向の長さを大きくしてもよい。巻付部５３の直交方向の長さＢ１と、孔の直交方向の長さとを同一としてもよいし、巻付部５３の直交方向の長さＢ１よりも孔の直交方向の長さを大きくしてもよい。
【０１００】
台紙５１２には、ミシン目５１Ｚの代わりに切れ目が形成されてもよい。基材５１１は、枠状部５０を有していなくてもよい。つまり、台紙５１２にはラベル５１のみ貼付されていてもよい。台紙５１２には、ラベル５１が貼付される第１領域と、ラベル５１が貼付されない第２領域とを含むことになる。この場合、使用者は、台紙５１２からラベル５１を容易に剥がすことができる。
【０１０１】
第１表示部５２１及び第２表示部５２２のそれぞれの少なくとも一部が、第１仮想ライン５５１Ａを基準として線対称となる位置に配置されればよい。第１表示部５２１及び第２表示部５２２は異なる形状を有していてもよい。第１巻付部５３１及び第２巻付部５３２のそれぞれの少なくとも一部が、第２仮想ライン５５２Ａを基準として線対称となる位置に配置されればよい。第１巻付部５３１及び第２巻付部５３２は異なる形状を有していてもよい。第１貫通部５４１及び第２貫通部５４２のそれぞれの少なくとも一部が、第２仮想ライン５５２Ａを基準として線対称となる位置に配置されればよい。第１貫通部５４１、第２貫通部５４２は異なる形状を有していてもよい。第１切れ目５４１Ａ及び第２切れ目５４２Ａのそれぞれの少なくとも一部が、第２仮想ライン５５２Ａを基準として線対称となる位置に配置されればよい。同様に、第１切れ目５４１Ｂ及び第２切れ目５４２Ｂのそれぞれの少なくとも一部が、第２仮想ライン５５２Ａを基準として線対称となる位置に配置されればよい。第１切れ目５４１Ａ及び第２切れ目５４２Ａ、第１切れ目５４１Ｂ及び第２切れ目５４２Ｂは異なる形状を有していてもよい。貫通部５４は、切れ目５４Ａ、５４Ｂに加えて孔を有していてもよい。
【０１０２】
巻付部５３の直交方向の長さを、表示部５２及び貫通部５４のそれぞれの直交方向の長さＡ１と同一としてもよい。即ち、表示部５２、巻付部５３、貫通部５４のそれぞれの直交方向の長さを同一としてもよい。この場合、第１表示部５２１、第１巻付部５３１、第１貫通部５４１、第２表示部５２２、第２巻付部５３２、第２貫通部５４２のそれぞれは、直交方向の全域に亘って第１方向に重なる。
【０１０３】
第１実施例において、第２ライン５５２は直交方向と交差する方向に延びていてもよい。第２実施例において、第２ライン８５２は長尺方向と交差する方向に延びていてもよい。
【０１０４】
第１実施例における重複部５６は、第１表示部５２１の第２方向側の端部に設けられていてもよい。この場合、重複部５６は、第１ライン５５１及び第２ライン５５２においてラベル５１が折り曲げられた場合、第１巻付部５３１の第１方向側の端部に重なってもよい。第２実施例における重複部８６は、第１巻付部８３１の第２方向側の端部に設けられていてもよい。この場合、重複部８６は、第２ライン８５２においてラベル８１が折り曲げられた場合、第２表示部８２２の一部に重なってもよい。重複部５６、８６は設けられていなくてもよい。
【０１０５】
第２実施例において、貫通部８４は、直交方向に延びる切れ目を更に有していてもよい。又、この切れ目の直交方向の長さを、巻付部８３の直交方向の長さ以上としてもよい。更に好ましくは、この切れ目の直交方向の長さを、巻付部８３の直交方向の長さと同一としてもよい。
【０１０６】
ラベル５１Ａ、５１Ｂ、５１Ｃ・・・は、直交方向に配列されてもよい。第１実施例において、第１表示部５２１、第２表示部５２２、第２巻付部５３２、第２貫通部５４２、第１貫通部５４１、及び第１巻付部５３１は、この順で直交方向に並んでいてもよい。第２実施例において、第１表示部８２１、第２表示部８２２、第２巻付部８３２、第２貫通部８４２は、この順で直交方向に並んでいてもよい。同様に、第１表示部８２１、第２表示部８２２、第１巻付部８３１、第１貫通部８４１は、この順で直交方向に並んでいてもよい。ラベル８１Ａ、８１Ｂ、８１Ｃは、直交方向に配列されていてもよい。第１ライン５５１及び第２ライン５５２はミシン目である場合に限定されない。例えば、第１ライン５５１及び第２ライン５５２は、基材５１１に予め印刷された直線又は点線であってもよい。 
【０１０７】
第１実施形態において、巻付部５３及び貫通部５４と表示部５２とは、第１方向に重ならなくてもよい。第１巻付部５３１と第１貫通部５４１とは、第１方向に重ならなくてもよい。第２巻付部５３２と第２貫通部５４２とは、第１方向に重ならなくてもよい。第２実施例において、第１表示部８２１と第１巻付部８３１とは、第１方向に重ならなくてもよい。第２表示部８２２と第２巻付部８３２とは、第１方向に重ならなくてもよい。
【０１０８】
第２実施例において、第１貫通部８４１及び第２貫通部８４２のみが第２ライン８５２によって連結されていてもよい。この場合、第１巻付部８３１及び第２巻付部８３２は連結されていなくてもよい。又は、第１巻付部８３１及び第２巻付部８３２のみが第２ライン８５２によって連結されていてもよい。この場合、第１貫通部８４１及び第２貫通部８４２は連結されていなくてもよい。第１巻付部８３１と第１貫通部８４１との間に、直交方向に延びるミシン目が形成されていてもよい。第２巻付部８３２と第２貫通部８４２との間に、直交方向に延びるミシン目が形成されていてもよい。
【符号の説明】
【０１０９】
１        ：印字装置
６        ：テープカセット
５０      ：枠状部
５１、５１Ａ，５１Ｂ，５１Ｃ、８１、８１Ａ，８１Ｂ，８１Ｃ    ：ラベル
５１Ｚ    ：ミシン目
５６、８６      ：重複部
６０、      ：ラベル媒体
６０Ａ    ：第１ラベル媒体
６０Ｂ    ：第２ラベル媒体
５１１    ：基材
５１２    ：台紙
５２１、８２１    ：第１表示部
５２２、８２２    ：第２表示部
５３１、８３１    ：第１巻付部
５３２、８３２    ：第２巻付部
５４１、８４１    ：第１貫通部
５４１Ａ、８４１Ａ、５４１Ｂ  ：第１切れ目
５４２、８４２    ：第２貫通部
５４２Ａ、８４２Ａ、５４２Ｂ  ：第２切れ目
５５１、８５１    ：第１ライン
５５１Ａ、８５１Ａ  ：第１仮想ライン
５５２、８５２    ：第２ライン
５５２Ａ、８５２Ａ  ：第２仮想ライン
８１１Ｚ、８１２Ｚ  ：ミシン目
【図１】
2019012215.tif 000003
【図２】
2019012215.tif 000004
【図３】
2019012215.tif 000005
【図４】
2019012215.tif 000006
【図５】
2019012215.tif 000007
【図６】
2019012215.tif 000008
【図７】
2019012215.tif 000009
【図８】
2019012215.tif 000010